(57)【要約】【課題】ユーザ・オペレーションによって作成・設定されたオリジナルの音場に合う楽曲を検索する。【解決手段】複数の楽曲データと、各楽曲データに関連付けられた、少なくともジャンルの情報を含む所定の楽曲情報を管理する楽曲情報データベースと、複数のジャンルの各々に対応したジャンル音場データを管理する音場データベースと、ユーザ・オペレーションに従って音場データを生成する音場データ生成手段と、該生成された音場データに基づいて、音場データベースの中から１つのジャンル音場データを抽出する音場データ抽出手段と、該抽出されたジャンル音場データに基づいて楽曲情報データベースを検索し、その検索結果として、当該ジャンル音場データと一致するジャンルの楽曲情報を得る楽曲情報取得手段とを具備したオーディオ装置を提供する。【選択図】図４
2008083770.tif 000002
【特許請求の範囲】
【請求項１】
設定された音場で楽曲を再生することが可能なオーディオ装置において、
複数の楽曲データと、
各楽曲データに関連付けられた、少なくともジャンルの情報を含む所定の楽曲情報を管理する楽曲情報データベースと、
複数のジャンルの各々に対応したジャンル音場データを管理する音場データベースと、
ユーザ・オペレーションに従って音場データを生成する音場データ生成手段と、
該生成された音場データに基づいて、前記音場データベースの中から１つのジャンル音場データを抽出する音場データ抽出手段と、
該抽出されたジャンル音場データに基づいて前記楽曲情報データベースを検索し、その検索結果として、当該ジャンル音場データと一致するジャンルの楽曲情報を得る楽曲情報取得手段と、を具備したこと、を特徴とするオーディオ装置。
【請求項２】
設定された音場で楽曲を再生することが可能なオーディオ装置において、
複数の楽曲データと、
各楽曲データに関連付けられた、少なくともジャンルの情報を含む所定の楽曲情報を管理する楽曲情報データベースと、
複数のジャンルの各々に対応したジャンル音場データを管理する音場データベースと、
ユーザ・オペレーションに従って音場データを生成する音場データ生成手段と、
前記音場データベースを検索して、所定の条件を満たすジャンル音場データを該生成された音場データに合致すると判定する音場データ判定手段と、
該合致すると判定されたジャンル音場データに基づいて前記楽曲情報データベースを検索し、その検索結果として、当該ジャンル音場データと一致するジャンルの楽曲情報を得る楽曲情報取得手段と、を具備したこと、を特徴とするオーディオ装置。
【請求項３】
該ジャンル音場データ及び該生成された音場データは複数の周波数帯域の各々に対する補正値から成る周波数特性カーブのデータを含み、
前記音場データ判定手段は、前記音場データ生成手段によって生成された音場データの補正値である生成補正値の各々と、前記音場データベースの各ジャンル音場データの補正値である規定補正値の各々とを比較し、その比較結果に基づいて、前記音場データベースの各ジャンル音場データが該所定の条件を満たすか否かを判定すること、を特徴とする請求項２に記載のオーディオ装置。
【請求項４】
該所定の条件には、所定数の該規定補正値がその各々に対応する該生成補正値と一致する値であるという条件が含まれること、を特徴とする請求項３に記載のオーディオ装置。
【請求項５】
該所定の条件には、各該規定補正値とそれに対応する各該生成補正値との値の差が全て所定の範囲内に収まるという条件が含まれること、を特徴とする請求項３又は請求項４の何れかに記載のオーディオ装置。
【請求項６】
該所定の条件には、各該規定補正値とそれに対応する各該生成補正値との値の差が全ての同一であるという条件が含まれること、を特徴とする請求項３から請求項５の何れかに記載のオーディオ装置。
【請求項７】
該所定の条件には、少なくとも１つの特定の補正値がそれに対応する該生成補正値と一致する値であるという条件が含まれること、を特徴とする請求項３から請求項６の何れかに記載のオーディオ装置。
【請求項８】
前記楽曲情報取得手段によって取得された楽曲情報に基づいてプレイリストを作成するプレイリスト作成手段を更に具備したこと、を特徴とする請求項１から請求項７の何れかに記載のオーディオ装置。
【請求項９】
前記プレイリスト作成手段によって作成されたプレイリストに基づいて楽曲を再生すること、を特徴とする請求項８に記載のオーディオ装置。
【請求項１０】
該プレイリストの楽曲を、前記音場データ生成手段で生成された音場データによる音場で再生すること、を特徴とする請求項９に記載のオーディオ装置。
【請求項１１】
楽曲データ再生中に、当該楽曲データに関連付けられた所定の楽曲情報を表示する楽曲情報表示手段を更に具備したこと、を特徴とする請求項１から請求項１０の何れかに記載のオーディオ装置。
【請求項１２】
外部端末と通信するための通信手段を更に具備し、
該所定の楽曲情報は、前記通信手段を介して該外部端末が保持するＣＤＤＢ（CD DataBase）から取得した情報であること、を特徴とする請求項１から請求項１１の何れかに記載のオーディオ装置。
【発明の詳細な説明】
【技術分野】
【０００１】
この発明は、設定された音場で楽曲を再生することが可能なオーディオ装置に関する。
【背景技術】
【０００２】
近年、ＨＤＤ（Hard Disk Drive）を備えたオーディオ装置が普及している。このようなオーディオ装置は、例えばＣＤ（Compact Disc）等に記録されている楽曲を所定の形式の楽曲データ（例えばＭＰ３等）にエンコードしてＨＤＤに取り込む。ＨＤＤの容量が大きいため、オーディオ装置は、例えば数千曲の音楽データを保持することができる。
【０００３】
上記のようにオーディオ装置が多数の楽曲を保持している場合、その中から所望の楽曲を探し出すことはユーザにとって煩雑且つ困難な作業である。このような問題を解消すべく、例えば下記特許文献１には、再生中の楽曲に関する楽曲情報をキーとして楽曲検索を行うオーディオ装置が開示されている。下記特許文献１のオーディオ装置によれば、例えばアルバム名やアーティスト名或いはジャンル等で楽曲検索が行われる。このような検索機能をオーディオ装置に付与することで、ユーザは、多数の楽曲の中から自身の好みの楽曲だけを抽出して聴取することが可能となる。
【０００４】
また、オーディオ装置は、一般に、ＣＤ等の記憶媒体に記録された楽曲を、所定のジャンル（例えば「クラッシック」、「ロック」、「ジャズ」等）に対応した音場や、ユーザ・オペレーションで設定されたオリジナルの音場で再生する機能を備えている。例えば下記特許文献２に、記憶媒体から読み取ったオーディオ信号に対して、設定中のジャンルに対応した予め保持されている周波数特性カーブのデータを用いて補正を掛け、当該ジャンルの音場で楽曲を再生することが可能なオーディオ装置が開示されている。
【０００５】
音場設定は、ユーザが楽曲をより楽しむための機能である。このため、ユーザによっては、音場に合った楽曲のみを聴取したいという要望がある。ここで、下記特許文献１と２を組み合わせたオーディオ装置が想定される。このようなオーディオ装置によれば、例えば楽曲情報に含まれるジャンルと音場のジャンルとを関連付けて記憶することにより、所望のジャンルの音場に合った楽曲を検索することが可能となる。
【特許文献１】特開２００６−１２２５７号公報
【特許文献２】特開平７−２８４１８５号公報
【発明の開示】
【発明が解決しようとする課題】
【０００６】
一方で、楽曲を最大限に楽しみたいユーザであれば、例えばユーザ・オペレーションによってオリジナルの音場を作成・設定することが想定される。ところが、このようなオリジナルの音場は何れのジャンルにも属さない。従って、楽曲情報に含まれる何れのジャンルとも関連付けられない。このため、現在想定されるオーディオ装置ではオリジナルの音場に合う楽曲を検索することができない。このような観点では、ユーザは楽曲を最大限に楽しむことができないと言える。
【０００７】
そこで、本発明は上記の事情に鑑みて、ユーザ・オペレーションによって作成・設定されたオリジナルの音場に合う楽曲を検索することが可能なオーディオ装置を提供することを課題としている。
【課題を解決するための手段】
【０００８】
上記の課題を解決する本発明の一態様に係るオーディオ装置は、設定された音場で楽曲を再生することが可能なものに関する。このオーディオ装置は、複数の楽曲データと、各楽曲データに関連付けられた、少なくともジャンルの情報を含む所定の楽曲情報を管理する楽曲情報データベースと、複数のジャンルの各々に対応したジャンル音場データを管理する音場データベースと、ユーザ・オペレーションに従って音場データを生成する音場データ生成手段と、該生成された音場データに基づいて、音場データベースの中から１つのジャンル音場データを抽出する音場データ抽出手段と、該抽出されたジャンル音場データに基づいて楽曲情報データベースを検索し、その検索結果として、当該ジャンル音場データと一致するジャンルの楽曲情報を得る楽曲情報取得手段とを具備したことを特徴としたものである。
【０００９】
このような構成のオーディオ装置によれば、ユーザ・オペレーションに従って生成されたオリジナルの音場に基づいて１つのジャンルが抽出され、それに基づいて楽曲情報データベースの検索が行われるため、ユーザは、多数の楽曲の中から当該オリジナルの音場と合う楽曲を得ることができる。
【００１０】
また、上記の課題を解決する本発明の別の態様に係るオーディオ装置は、設定された音場で楽曲を再生することが可能なものに関する。このオーディオ装置は、複数の楽曲データと、各楽曲データに関連付けられた、少なくともジャンルの情報を含む所定の楽曲情報を管理する楽曲情報データベースと、複数のジャンルの各々に対応したジャンル音場データを管理する音場データベースと、ユーザ・オペレーションに従って音場データを生成する音場データ生成手段と、音場データベースを検索して、所定の条件を満たすジャンル音場データを該生成された音場データに合致すると判定する音場データ判定手段と、該合致すると判定されたジャンル音場データに基づいて楽曲情報データベースを検索し、その検索結果として、当該ジャンル音場データと一致するジャンルの楽曲情報を得る楽曲情報取得手段とを具備したことを特徴としたものである。
【００１１】
このような構成のオーディオ装置によれば、ユーザ・オペレーションに従って生成されたオリジナルの音場と合致する音場データのジャンルに基づいて楽曲情報データベースの検索が行われるため、ユーザは、多数の楽曲の中から当該オリジナルの音場と合う楽曲を得ることができる。
【００１２】
ここで、該ジャンル音場データ及び該生成された音場データは例えば複数の周波数帯域の各々に対する補正値から成る周波数特性カーブのデータを含むものであっても良い。この場合、上記音場データ判定手段を、音場データ生成手段によって生成された音場データの補正値である生成補正値の各々と、音場データベースの各ジャンル音場データの補正値である規定補正値の各々とを比較し、その比較結果に基づいて、音場データベースの各ジャンル音場データが該所定の条件を満たすか否かを判定する構成としても良い。
【００１３】
上記所定の条件には、例えば所定数の該規定補正値がその各々に対応する該生成補正値と一致する値であるという条件、各該規定補正値とそれに対応する各該生成補正値との値の差が全て所定の範囲内に収まるという条件、各該規定補正値とそれに対応する各該生成補正値との値の差が全ての同一であるという条件、少なくとも１つの特定の補正値がそれに対応する該生成補正値と一致する値であるという条件の少なくとも１つが含まれていても良い。
【００１４】
なお、上記オーディオ装置は、例えば楽曲情報取得手段によって取得された楽曲情報に基づいてプレイリストを作成するプレイリスト作成手段を更に具備したものであっても良い。
【００１５】
また、上記オーディオ装置は、例えばプレイリスト作成手段によって作成されたプレイリストに基づいて楽曲を再生する構成であっても良い。また、このとき、該プレイリストの楽曲を、音場データ生成手段で生成された音場データによる音場で再生しても良い。
【００１６】
また、上記オーディオ装置は、例えば楽曲データ再生中に、当該楽曲データに関連付けられた所定の楽曲情報を表示する楽曲情報表示手段を更に具備したものであっても良い。
【００１７】
また、上記オーディオ装置は、例えば外部端末と通信するための通信手段を更に具備したものであっても良い。この場合、上記所定の楽曲情報は、例えば通信手段を介して該外部端末が保持するＣＤＤＢ（CD DataBase）から取得した情報であっても良い。
【発明の効果】
【００１８】
本発明に係るオーディオ装置によれば、ユーザ・オペレーションによって作成・設定されたオリジナルの音場に合う楽曲を検索することが可能となる。
【発明を実施するための最良の形態】
【００１９】
以下に、図面を参照して、本発明の実施の形態のオーディオ装置の構成及び作用について説明する。本実施形態のオーディオ装置は例えば車両に搭載されたものである。
【００２０】
図１は、本発明の実施の形態のオーディオ装置１００の構成を示したブロック図である。オーディオ装置１００は、制御部１、ＨＤＤ５、入力部６、表示部７、ＲＯＭ（Read Only Memory）８、ＤＲＡＭ（Dynamic Random Access Memory）９、ＳＲＡＭ（Static Random Access Memory）１０、ユーザインタフェース１２、画像処理部１３、通信部１４、オーディオ部１５、及び、スピーカ１６を具備する。制御部１はシステム全体を統括的に制御するよう動作する。オーディオ装置１００の各構成要素は制御部１の制御下で各種処理を実行する。
【００２１】
ＲＯＭ８には、例えば種々のプログラムや各種データ等が格納されている。また、ＤＲＡＭ９やＳＲＡＭ１０は、例えばＨＤＤ５やＲＯＭ８に格納されているプログラムやデータの展開先である。制御部１は、例えばＨＤＤ５やＲＯＭ８に格納されているプログラムを読み出して、ＤＲＡＭ９やＳＲＡＭ１０の所定領域に展開して実行させる。これにより、制御部１は各種機能を実現することができる。なお、ＳＲＡＭ１０は電源オフ時にバッテリバックアップされており、そのメモリ内容を保持することができる。
【００２２】
入力部６はユーザ・オペレーションを成すためのものであり、例えばオーディオ装置１００のフロントパネル（不図示）に設置されたメカニカル式の入力キーである。或いは、ユーザインタフェース１２と赤外線通信を行うことによりユーザ・オペレーションを実現させるリモートコントロール機器（不図示）である。例えば電源スイッチは入力部６を構成する一要素である。
【００２３】
表示部７は例えば楽曲に関する情報等を表示するためのものである。附言するに、表示部７は例えば感圧式又は静電式等の周知のタッチ・パネルであり、入力手段を兼ねている。入力部６又は表示部７が操作されると、それに応じた信号がユーザインタフェース１２を介して制御部１に入力する。そして制御部１は、ユーザ・オペレーションに対応した処理が実行されるよう各構成要素を制御する。
【００２４】
オーディオ部１５は、周知のオーディオ装置と同様の構成を有している。オーディオ部１５には、例えばＣＤ等に記録されている楽曲を所定の形式の楽曲データ（例えばＭＰ３等）にエンコードしてＨＤＤ５に取り込む機能、通信部１４を介してネットワーク上のサーバ等から楽曲データをダウンロードするダウンロード機能、及び、楽曲データをデコードしてスピーカ１６に出力する機能が備えられている。オーディオ部１５が楽曲データをデコードしてスピーカ１６に出力することにより、ユーザは車内でその楽曲を楽しむことができる。
【００２５】
ＨＤＤ５には、例えば数千曲の楽曲データが格納されている。これらの楽曲データは例えばオーディオ部１５の取込機能やダウンロード機能で取得されたものである。また、ＨＤＤ５には、各楽曲データに関する情報を蓄積した楽曲情報データベースＭＵＤＢも格納されている。ここで、図２に、楽曲情報データベースＭＵＤＢを概略的に示す。
【００２６】
楽曲情報データベースＭＵＤＢは楽曲に関する情報を蓄積したものであり、「曲ＩＤ」、「ジャンル」、「曲名」、「アーティスト名」、「ＴＯＣ（Table of contents）情報」、「アドレス」のフィールドを有する。「ジャンル」、「曲名」、「アーティスト名」、及び、「ＴＯＣ情報」の各フィールドには、例えば通信部１４を介してネットワーク上のＣＤＤＢ等からダウンロードした楽曲情報のデータがエントリされる。「曲ＩＤ」フィールドには、楽曲情報データベースＭＵＤＢに含まれる各レコードを識別するための便宜的な情報がエントリされる。「アドレス」フィールドには、各レコードに対応した楽曲データが格納されているＨＤＤ５内のアドレスがエントリされる。
【００２７】
また、ＨＤＤ５には、音場設定のための周波数特性カーブのデータを蓄積した音場データベースＥＱＤＢが格納されている。図３に、この音場データベースＥＱＤＢを概略的に示す。
【００２８】
音場データベースＥＱＤＢは、各周波数帯に対応したフィールド（「６０Ｈｚ」、「１２５Ｈｚ」、「２５０Ｈｚ」、「５００Ｈｚ」、「１ＫＨｚ」、「３ＫＨｚ」、及び「１０ＫＨｚ」フィールド）、及び「ジャンル」フィールドを有する。各周波数帯のフィールドには、それぞれの周波数帯に対する適切な補正値（単位は「ｄＢ」）がエントリされている。各レコードのこれらのエントリが、各ジャンルに対応した周波数特性カーブのデータを成している。例えばロックが低音域及び高音域を他の音域よりも強調するようなジャンルであることから、「Ｒｏｃｋ−１」及び「Ｒｏｃｋ−２」のレコードには、低い周波数帯及び高い周波数帯のフィールドにより高い補正値がエントリされている。
【００２９】
音場を設定するようにユーザ・オペレーションが成されたとき、表示部７には、音場データベースＥＱＤＢの「ジャンル」フィールドにエントリされている各ジャンルの情報が表示される。すなわち表示部７上に、「Ｒｏｃｋ−１」、「Ｊａｚｚ−１」等の項目が配列された画面（以下、「音場設定画面」と記す）が表示される。この音場設定画面においてユーザが何れかの項目を選択すると、制御部１は、音場を、当該選択項目に対応したものに設定する。
【００３０】
上記のように音場が設定されている状態で楽曲再生するようにユーザ・オペレーションが成されると、先ず、オーディオ部１５が楽曲データをデコードする。次いで、制御部１とオーディオ部１５が連携して動作して、設定中の音場に対応した音場データベースＥＱＤＢのレコード（より具体的には周波数特性カーブのデータ）を用い、該デコードされた楽曲に対して周波数補正を施す。これにより、設定中の音場で楽曲が再生される。
【００３１】
また、音場設定画面では、オリジナルの音場をユーザに作成させるための項目も表示される。ユーザがこの項目を選択すると、オリジナルの音場を作成するための画面（以下、「音場作成画面」と記す）が表示される。音場作成画面では、例えば各周波数帯（「６０Ｈｚ」、「１２５Ｈｚ」、「２５０Ｈｚ」、「５００Ｈｚ」、「１ＫＨｚ」、「３ＫＨｚ」、及び「１０ＫＨｚ」）、「プラス」、及び「マイナス」の項目が表示される。この音場作成画面においてユーザが何れかの周波数帯の項目を選択し、更に、このような選択状態で「プラス」（又は「マイナス」）の項目を１回選択すると、当該周波数帯の補正値が１［ｄＢ］増加（又は減少）した暫定的な音場データが作成される。なお、この暫定的な音場データは、初期的には、各周波数帯の補正値が０［ｄＢ］となっている。ユーザがこのような選択操作を繰り返した後に暫定的な音場データを確定するよう操作すると、オリジナルの音場データの作成が完了する。作成された音場データは例えばＨＤＤ５に格納される。ユーザはこのような音場データを複数作成することもできる。
【００３２】
音場設定画面には、ユーザによって作成された音場データに対応した項目も表示される。音場設定画面においてこの項目をユーザが選択すると、制御部１は、音場を、当該選択項目に対応したオリジナルのものに設定する。ここで、図４に、このようなオリジナルの音場に合った楽曲を再生するための楽曲再生処理のフローチャートを示す。このような楽曲再生処理を実行するようオーディオ装置１００を構成することにより、当該オーディオ装置１００では、再生される全ての楽曲がオリジナルの音場に合ったものとなる。これにより、ユーザは楽曲を最大限に楽しむことができるようになる。
【００３３】
図４の楽曲再生処理は、現在設定されている音場に合わせて楽曲を再生するようユーザ・オペレーションが成された時点で開始される。また、オーディオ装置１００の電源オフや再生停止のユーザ・オペレーションが成された時点で終了する。制御部１は、上記ユーザ・オペレーションを検知すると、現在設定されている音場が「ロック」等の規定のジャンルの音場であるかオリジナルの音場であるかを判定する（ステップ１、以下、明細書及び図面においてステップを「Ｓ」と略記）。現在設定されている音場が規定のジャンルのものである場合（Ｓ１：規定）、当該音場のジャンルをキーとして楽曲情報データベースＭＵＤＢを検索する。そして、楽曲情報データベースＭＵＤＢの中から現在設定中の音場と同一ジャンルのレコードを抽出して（Ｓ２）、Ｓ６の処理に進む。
【００３４】
また、現在設定されている音場がオリジナルのものである場合（Ｓ１：オリジナル）、制御部１は、当該オリジナルの音場の周波数特性カーブ（以下、「オリジナル周波数特性カーブ」と記す）のデータを取得する（Ｓ３）。次いで、このオリジナル周波数特性カーブと、音場データベースＥＱＤＢの各レコードの周波数特性カーブとを比較する。そして比較の結果、オリジナル周波数特性カーブに合致していると判断される周波数特性カーブを有するレコードを取得する（Ｓ４）。
【００３５】
Ｓ４の処理においては、以下の条件を満たす周波数特性カーブがオリジナル周波数特性カーブに合致したものと判断される。以下の条件の中で判定条件（１）が最も優先される。判定条件（１）を満たすレコードがある場合、制御部１は、当該レコードが合致した周波数特性カーブを有するものと判断する。判定条件（１）を満たすものがない場合に限り、判定条件（２）による判断が行われる。以降の判定条件でも同様である。原則的には判定条件（１）、（２）、（３）、（４）、（５）、（６）、（７）の優先順位でＳ４の処理が行われる。なお、判定条件を満たすレコードが複数存在する場合には、例えばユーザ・オペレーションによりその中の任意の一つが選択される。
【００３６】
＜判定条件＞
（１）オリジナル周波数特性カーブと完全一致する周波数特性カーブ
（２）６つの周波数帯の補正値がオリジナル周波数特性カーブ中の対応するそれぞれの補正値と一致する周波数特性カーブ
（３）５つの周波数帯の補正値がオリジナル周波数特性カーブ中の対応するそれぞれの各補正値と一致する周波数特性カーブ
（４）４つの周波数帯の補正値がオリジナル周波数特性カーブ中の対応するそれぞれの補正値と一致する周波数特性カーブ
（５）３つの周波数帯の補正値がオリジナル周波数特性カーブ中の対応するそれぞれの補正値と一致する周波数特性カーブ
（６）２つの周波数帯の補正値がオリジナル周波数特性カーブ中の対応するそれぞれの補正値と一致する周波数特性カーブ
（７）１つの周波数帯の補正値がオリジナル周波数特性カーブ中の対応するそれぞれの補正値と一致する周波数特性カーブ
【００３７】
但し、例外的な判定条件もある。例えば判定条件（２）（又は（３）、（４）、（５）、（６）、（７）の何れか）を満たす周波数特性カーブがあり、その周波数特性カーブ中の少なくとも１つの補正値がオリジナル周波数特性カーブ中の対応する補正値から所定値以上外れているものとする。この場合、判定条件（２）（又は（３）、（４）、（５）、（６）、（７）の何れか）を満たさないと判断される。そして、以下の例外的判定条件に従ってＳ４の処理が行われる。なお、全てのレコードの周波数特性カーブが判定条件（１）乃至（７）の何れも満たさない場合も例外的判定条件に従ってＳ４の処理が行われる。
【００３８】
＜例外的条件＞
（Ａ）オリジナル周波数特性カーブの各補正値とそれに対応する各補正値の差が全て所定の範囲内に収まる周波数特性カーブ
（Ｂ）オリジナル周波数特性カーブの各補正値とそれに対応する各補正値の差が全て同一となる周波数特性カーブ
（Ｃ）１つ又は複数の特定の周波数帯の補正値がオリジナル周波数特性カーブ中の対応する補正値と一致する周波数特性カーブ
【００３９】
例外的条件（Ａ）の一例として、「各周波数帯の補正値がオリジナル周波数特性カーブ中の対応する各補正値に対して±２［ｄＢ］内に収まる値となる周波数特性カーブ」が挙げられる。また、例外的条件（Ｂ）の一例として、「全ての周波数帯の補正値がオリジナル周波数特性カーブ中の対応する補正値の各々よりも５［ｄＢ］高い周波数特性カーブ」が挙げられる。
【００４０】
制御部１は、各レコード（ジャンル）の周波数特性カーブに対して、それぞれ異なる優先順位で例外的条件（Ａ）、（Ｂ）、（Ｃ）を適用してＳ４の処理を行う。具体的には、例えば「Ｒｏｃｋ−１」には例外的条件（Ｂ）、（Ａ）、（Ｃ）の優先順位で、「Ｊａｚｚ−１」には例外的条件（Ｃ）、（Ａ）、（Ｂ）の優先順位でＳ４の処理を行う。また、ジャンルによっては、何れかの例外的条件を適用せずにＳ４の処理を行うようにしても良い。なお、これらの判定条件及び例外的条件は一例であり、他にも様々な条件が想定される。
【００４１】
制御部１は、Ｓ４の処理で取得したレコードのジャンルをキーとして楽曲情報データベースＭＵＤＢを検索する。そして、楽曲情報データベースＭＵＤＢの中から検索キーと同一ジャンルのレコードを抽出して（Ｓ５）、Ｓ６の処理に進む。
【００４２】
ここで、図５に、ＨＤＤ５に格納されているプレイリストＰＬを概略的に示す。Ｓ６の処理において制御部１は、Ｓ２又は５の処理で抽出された全てのレコードの「曲ＩＤ」のエントリデータを、所定の規則に基づいた順序（例えば「曲ＩＤ」に基づいた順序、５０音順（曲名）、ランダム等）でプレイリストＰＬにエントリする。「プレイリストＰＬにエントリ」とは、その楽曲データを特定するための何らかの情報をプレイリストＰＬに書き込むことを意味する。ここでは上記のように「曲ＩＤ」のエントリデータがプレイリストＰＬにエントリされる。
【００４３】
Ｓ６の処理でプレイリストＰＬを作成すると、制御部１は、オーディオ部１５と連携して動作し、当該プレイリストＰＬに基づいた楽曲再生を行う（Ｓ７）。具体的には、オーディオ部１５は、プレイリストＰＬの序数（図５における「Ｎｏ．」）にしたがって楽曲を順に再生させる。オーディオ部１５は先ず、序数が「１」の「曲ＩＤ」のエントリデータをキーとして楽曲情報データベースＭＵＤＢを検索し、該当するレコードを抽出する。次いで、抽出されたレコードの「アドレス」フィールドを参照して当該アドレスにアクセスし、楽曲データを取得する。そして、この楽曲データをデコードしてスピーカ１６に出力する。このような処理をプレイリストＰＬにエントリされた各楽曲に対して順に実行することにより、ユーザは、当該プレイリストＰＬの楽曲を順に聴取することができる。
【００４４】
本実施形態によれば、オリジナルの音場の周波数特性カーブに合致した周波数特性カーブのジャンルの楽曲が検索・抽出されて再生される。このため、ユーザは、オリジナルの音場に合った楽曲だけを聴取して、それらの楽曲を最大限に楽しむことができる。また、上記のように、オリジナルの音場に合った楽曲でプレイリストＰＬを作成するようにオーディオ装置１００を構成することで、ユーザが普段聴取しない楽曲が再生されることがある。このような場合、ユーザは新鮮みを覚え、楽曲をより楽しむことができるようになる。
【００４５】
制御部１はＳ７の処理に次いで、現在再生中の楽曲のレコードの各エントリデータを用いて、その楽曲情報を表示部７に表示させる（Ｓ８）。次いで、プレイリストＰＬの最後の楽曲の再生が終了したか否かを判定する（Ｓ９）。当該最後の楽曲の再生が終了していない場合（Ｓ９：ＮＯ）、制御部１はＳ７の処理に復帰する。また、当該最後の楽曲の再生が終了した場合（Ｓ９：ＹＥＳ）、制御部１は、プレイリストＰＬを最初の楽曲からリピートで再生させる（Ｓ１０）。なお、本フローチャートの処理の途中で音場を変更するようユーザ・オペレーションが成されたとき、制御部１は、Ｓ１の処理に復帰して、上述した一連の処理を再び繰り返す。
【００４６】
以上が本発明の実施の形態である。本発明はこれらの実施の形態に限定されるものではなく様々な範囲で変形が可能である。
【００４７】
例えば本実施形態ではプレイリストＰＬの各楽曲をその頭部分から再生しているが、別の実施の形態では、例えばオーディオ部１５でデコードされた楽曲に対して周知の周波数解析を施し、その解析結果に基づいて各楽曲の所定のパート（例えばサビの部分）を特定し、その特定部分だけをスピーカ１６で再生するようにしても良い。
【図面の簡単な説明】
【００４８】
【図１】本発明の実施の形態のオーディオ装置の構成を示したブロック図である。
【図２】本発明の実施の形態のＨＤＤに格納された楽曲情報データベースを概略的に示した図である。
【図３】本発明の実施の形態のＨＤＤに格納された音場データベースを概略的に示した図である。
【図４】本発明の実施の形態のオーディオ装置で実行される楽曲再生処理を示したフローチャートである。
【図５】本発明の実施の形態のＨＤＤに格納されたプレイリストを概略的に示した図である。
【符号の説明】
【００４９】
１  制御部
５  ＨＤＤ
６  入力部
７  表示部
８  ＲＯＭ
９  ＤＲＡＭ
１０  ＳＲＡＭ
１２  ユーザインタフェース
１３  画像処理部
１４  通信部
１５  オーディオ部
１６  スピーカ
１００  オーディオ装置
【図１】
2008083770.tif 000003
【図２】
2008083770.tif 000004
【図３】
2008083770.tif 000005
【図４】
2008083770.tif 000006
【図５】
2008083770.tif 000007